(57)【要約】【課題】製造コストの低減を図りつつ外観性を確保する上で有利な表示装置を提供する。【解決手段】補強プレート１８の４辺の延在方向と直交する方向で補強プレート１８から離れる方向に各基板カバー２０を移動させ、各基板カバー２０の側面部２００４の前部の外面をフロントカバー１２の側面部１２０４の内面に当接させる。次いで、側面部２００４の前部の外面と側面部１２０４の内面が当接され加圧された状態で、例えば、加熱して溶着することによって側面部２００４の前部の外面と側面部１２０４の内面とを接合し、これにより、フロントカバー１２が基板カバー２０を介して補強プレート１８に取着される。【選択図】図８
2007240777.tif 000002
【特許請求の範囲】
【請求項１】
厚さ方向の一方の面に画像を表示する表示面が形成され、他方の面が背面とされた矩形で薄板状のディスプレイデバイスと、
前記ディスプレイデバイスの各辺にフレキシブル基板を介して連結され前記ディスプレイデバイスとの間で信号の授受を行なう各辺に沿って細長のリジット基板と、
前記ディスプレイデバイスの表示面を覆うフロントカバーと、
前記ディスプレイデバイスの背面に取着された矩形で薄板状の補強プレートと、
前記ディスプレイデバイスの背面および前記補強プレートの背面を覆うリアカバーとを備え、
前記フロントカバーは、前記表示面の前方に位置する前面部と、前記前面部の４辺から後方に屈曲された側面部とを有する表示装置であって、
前記各リジット基板は、それぞれ対応するフレキシブル基板を介して後方に折られ前記補強プレートの背面の４辺に重ね合わされて取着され、
前記補強プレートの背面の４辺に重ね合わされた各リジット基板をそれぞれ覆う基板カバーが設けられ、
前記各基板カバーは、前記リジット基板の後方に位置する背面部と、前記背面板部の端部から前方に屈曲する側面部とを有し、それぞれ前記補強プレートの面内で各辺から離れる方向に移動可能に設けられ、
前記各基板カバーの側面部の前部の外面が前記フロントカバーの側面部の内面に当接した状態でそれら側面部が接合されている、
ことを特徴とする表示装置。
【請求項２】
前記リアカバーは、前記ディスプレイデバイスの背面および前記補強プレートの後方に位置する背面部と、前記背面部の４辺から前方に屈曲された側面部とを有し、
前記リアカバーはその側面部の前端が前記フロントカバーの側面部の後端に臨みその背面部がねじにより前記補強プレートに取着されている、
ことを特徴とする請求項１記載の表示装置。
【請求項３】
前記各基板カバーは、前記補強プレートの４辺の全長にわたってそれぞれ延在していることを特徴とする請求項１記載の表示装置。
【請求項４】
前記各基板カバーの側面部は、それぞれフレキシブル基板の側方に位置しそれらフレキシブル基板を覆っていることを特徴とする請求項１記載の表示装置。
【請求項５】
前記各基板カバーの背面部はそれぞれ前記リジット基板との間に間隔をおいて配置され、前記各基板カバーの側面部はそれぞれフレキシブル基板との間に間隔をおいて配置されていることを特徴とする請求項１記載の表示装置。
【請求項６】
前記基板カバーは、前記リジット基板を保護し前記フロントカバーを支持するに足る剛性を有する金属材料または剛性を有する合成樹脂で形成されていることを特徴とする請求項１記載の表示装置。
【請求項７】
前記補強プレートは、放熱性に優れる金属材料で形成され、熱伝導シートを介して前記ディスプレイデバイスの背面に取着されていることを特徴とする請求項１記載の表示装置。
【発明の詳細な説明】
【技術分野】
【０００１】
本発明は表示装置に関する。
【背景技術】
【０００２】
有機ＥＬディスプレイ、プラズマディスプレイや液晶ディスプレイなどの薄板状のディスプレイデバイスを有する表示装置として、ディスプレイデバイスの表示面を覆うフロントカバーと、表示面の反対側を覆うリアカバーとを備えたものがある（特許文献１参照）。
このような表示装置では、フロントカバーに例えば矩形状の窓（開口）を設けておき、この窓の内側からディスプレイデバイスの表示面を前方に露出させている。
このような表示装置では、ディスプレイデバイスの表示面のうち外縁に沿った環状の領域にフロントカバーの部分があたかも額縁のように位置しているため、フロントカバー部分と表示面との間に段差が生じ、この段差の分だけフロントカバー部分が表示面の前方にスペースを占有することになり、表示装置がディスプレイデバイスの表示面と直交する方向に占有するスペース、言い換えると、表示装置の厚さ方向の寸法を削減する上で不利があった。
【特許文献１】特開平５−１０３２８４号公報
【発明の開示】
【発明が解決しようとする課題】
【０００３】
そこで本出願人は、薄板状のディスプレイデバイスの表示面の全域にわたって透明なフィルム（フロントカバー）を接着し、表示面に接着されたフィルム部分から表示面の外側に延在しその延在方向の端部である外縁をリアカバーの側壁に接合し、フィルムにより表示装置の前面を形成した表示装置を提案した（特願２００５−３５９９８号）。
この表示装置によれば、表示面の全域にわたって取着された透明なフィルムにより表示装置の前面が形成されているので、従来と違って、表示面の外側にフロントカバーが存在せず、表示面と直交する方向に占有する表示装置の厚さ方向の寸法を削減する上で有利となる。
ところで、このような表示装置では、フィルムの外縁とリアカバーの側壁との接合箇所部分の外観性を確保する上で、フィルムの外縁とリアカバーの側壁とのクリアランス（隙間）を極力無くすことが必要となることから、フィルムの外縁とリアカバーの側壁の寸法精度を上げなくてはならず、フィルム（フロントカバー）およびリアカバーの歩留まりが悪く、製造コストの低減を図る上で不利があった。
本発明は、このような事情に鑑みなされたもので、その目的は製造コストの低減を図りつつ外観性を確保する上で有利な表示装置を提供することにある。
【課題を解決するための手段】
【０００４】
上記目的を達成するために本発明は、厚さ方向の一方の面に画像を表示する表示面が形成され、他方の面が背面とされた矩形で薄板状のディスプレイデバイスと、前記ディスプレイデバイスの各辺にフレキシブル基板を介して連結され前記ディスプレイデバイスとの間で信号の授受を行なう各辺に沿って細長のリジット基板と、前記ディスプレイデバイスの表示面を覆うフロントカバーと、前記ディスプレイデバイスの背面に取着された矩形で薄板状の補強プレートと、前記ディスプレイデバイスの背面および前記補強プレートの背面を覆うリアカバーとを備え、前記フロントカバーは、前記表示面の前方に位置する前面部と、前記前面部の４辺から後方に屈曲された側面部とを有する表示装置であって、前記各リジット基板は、それぞれ対応するフレキシブル基板を介して後方に折られ前記補強プレートの背面の４辺に重ね合わされて取着され、前記補強プレートの背面の４辺に重ね合わされた各リジット基板をそれぞれ覆う基板カバーが設けられ、前記各基板カバーは、前記リジット基板の後方に位置する背面部と、前記背面板部の端部から前方に屈曲する側面部とを有し、それぞれ前記補強プレートの面内で各辺から離れる方向に移動可能に設けられ、前記各基板カバーの側面部の前部の外面が前記フロントカバーの側面部の内面に当接した状態でそれら側面部が接合されていることを特徴とする。
【発明の効果】
【０００５】
本発明によれば、リジッド基板を保護する基板カバーを利用することで、基板カバーの側面部の外面とフロントカバーの側面部の内面とを当接させた状態で、基板カバーの側面部の外面とフロントカバーの側面部の内面とを接合でき、基板カバーとフロントカバーの寸法精度を高めることなく、フロントカバーの接合箇所の外観性を高めることができる。
したがって、フロントカバーおよびリアカバーに従来のような高い寸法精度を要せずにフロントカバーおよびリアカバーを製造でき、製造コストの低減化を図りつつ、表示装置の外観性を高める上で有利となる。
【発明を実施するための最良の形態】
【０００６】
（第１の実施の形態）
以下、本発明による表示装置の実施の形態を図面に基づいて詳細に説明する。
図１は第１の実施の形態の表示装置１０の分解斜視図である。
図１に示すように、表示装置１０は、フロントカバー１２、ディスプレイデバイス１４、熱伝導シート１６、補強プレート１８、４つの基板カバー２０、リアカバー２２などを含んでいる。
ディスプレイデバイス１４は、薄い厚さの矩形の薄板状に形成され、厚さ方向の一方に表示面１４０２が設けられ、前記厚さ方向の他方の面は背面１４０４となっている。
本実施の形態では、ディスプレイデバイス１４は有機ＥＬ（Ｅｌｅｃｔｒｏｎｉｃ  Ｌｕｍｉｎｅｓｃｅｎｔ）ディスプレイで構成され、駆動信号に基づいて表示面１４０２に、静止画あるいは動画、文字や記号などを含む画像を表示するように構成されている。
有機ＥＬディスプレイは、互いに重ね合わされた第１ガラス板および第２ガラス板と、それらの間に設けられた蛍光体（発光体）や電極などから構成され、前記蛍光体や電極などにより前記画像を表示する表示部が構成されている。
前記第１ガラス板が表示部と反対側（前方）に臨む面によって表示面１４０２が構成され、前記第２ガラス板が表示部と反対側（後方）に臨む面によって背面１４０４が構成されている。
ディスプレイデバイス１４の各辺には、それぞれフレキシブル基板２４を介してリジッド基板２６が連結されている。
各リジッド基板２６はフレキシブル基板２４を介してディスプレイデバイス１４の前記電極部と信号の授受を行なうものであり、各リジッド基板２６は前記各辺に沿って細長形状に形成され、各辺に平行に延在している。
詳細に説明すると、各リジッド基板２６には、ドライブ回路や電源回路を構成する電子部品（チップ部品）が搭載されている。
なお、前記ドライブ回路は外部から供給される信号に基づいて前記駆動信号を生成しディスプレイデバイス１４に供給するものである。ここで外部から供給される信号は、例えば、パーソナルコンピュータの制御部から供給される文字や記号、静止画、動画を示す信号であり、あるいは、ＤＶＤプレーヤーやテレビチューナー、あるいはビデオカメラなどから供給される静止画、動画を示す信号であり、信号を供給する方式は有線、無線を問わない。
前記電源回路は表示装置１０の外部あるいは内部の電源に基づいてディスプレイデバイス１４駆動用の電源およびドライブ回路駆動用の電源をそれぞれ生成し、ディスプレイデバイス１４およびドライブ回路に供給するものである。なお、電源は、表示装置１０に設けられたバッテリーを利用するものであってもよく、あるいは、有線、無線を問わず外部から電源が供給される方式であってもよい。また、表示装置１０は、上述のように外部の装置から信号を供給されるものの他、例えば、表示装置１０が各種の電子機器（テレビジョン装置やノートパーソナルコンピュータ、あるいは、ＰＤＡや携帯電話機など）に組み込まれている場合にも本発明は適用される。
【０００７】
フロントカバー１２は、ディスプレイデバイス１４の表示面１４０２およびディスプレイデバイス１２および補強プレート１８の側方を覆うものであり、フロントカバー１２は透明であり、フロントカバー１２は、例えば、表示面１４０２の全域に貼着された透明な両面粘着テープにより表示面１４０２に接着されている。
フロントカバー１２は、表示面１４０２の前方に位置する前面部１２０２と、前面部１２０２の４辺から後方に屈曲され、ディスプレイデバイス１２および補強プレート１８の側方に位置する側面部１２０４とを有している（図７参照）。
前面部１２０２は表示面１４０２よりも大きな面積の矩形に形成され、前面部１２０２の４辺は表示面１４０２の４辺よりも外側に位置し、それら４辺は互いに平行している（図７参照）。
本実施の形態では、フロントカバー１２は、ディスプレイデバイス１４の表示面１４０２に対する写り込みを防止するためのＡＲ（アンチリフレクション）コーティングが施されたフィルムであり、ＰＥＴ（ポリエチレンテレフタレート）あるいはアクリルあるいはＰＣ（ポリカーボネート）などの合成樹脂材料で形成され、例えば、厚さが０．２ｍｍ程度である。
図１に示すように、熱伝導シート１６は熱伝導性を有し、ディスプレイデバイス１４の背面１４０４の全域に取着されている。
【０００８】
図２は補強プレート１８の斜視図、図３はディスプレイデバイス１４、補強プレート１８、フレキシブル基板２４、リジッド基板２６、基板カバー２０の取り付けを示す斜視図である。
図２に示すように、補強プレート１８は、矩形で薄板状を呈し、両面粘着テープを介して熱伝導シート１６に取着されている。したがって、補強プレート１８はディスプレイデバイス１４の背面１４０４に熱伝導シート１６を介して取着されていることになる。
補強プレート１８は、ディスプレイデバイス１４を補強するに足る剛性を有し、さらに、熱伝導性が高く放熱性に優れた金属材料で形成されている。このような金属材料として、例えば、マグネシウムあるいはアルミニウムなどが使用可能であり、ディスプレイデバイス１４の剛性を確保するとともにディスプレイデバイス１４で発生した熱を熱伝導シート１６、補強プレート１８を介して効率的に放熱するようにしている。
【０００９】
補強プレート１８は、本体板部２４と、枠体２８と、リブ３０とを含んでいる。
本体板部２４は矩形薄板状で、ディスプレイデバイス１４の背面１４０４と同形同大の輪郭である。
本体板部２４は、厚さ方向の一方がディスプレイデバイス１４の背面１４０４に対向する表面２４０２となっており、厚さ方向の他方が背面２４０４となっている。
枠体２８は本体板部２４よりも小さい大きさの矩形枠状を呈し、４辺を本体板部２４の４辺と平行させて本体板部２４の背面２４０４の中央に設けられている。
枠体２８の４辺と本体板部２４の４辺との間には、矩形枠状の領域３２が形成されている。
【００１０】
図３に示すように、各リジット基板２６は、それぞれ対応するフレキシブル基板２４を介して後方に折られ矩形枠状の領域３２に重ね合わされて両面粘着テープなどにより取着されている。
リブ３０は、枠体２８の内側で枠体２８よりも小さい大きさの矩形枠状を呈し、４辺を本体板部２４の４辺と平行させて本体板部２４の背面２４０４の中央に設けられている。
枠体２８およびリブ３０は本体板部２４を補強し剛性を高める作用を果たしている。
【００１１】
また、図２に示すように、本体板部２４の背面２４０４の４辺のうち、互いに対向する一方の２辺（長辺）には、それら２辺の延在方向に等間隔をおいて枠体２８の高さと同一の高さを有し先部にねじ孔２４１２が形成された３個のボス部２４１０がそれぞれ突設されている。
また、互いに対向する他方の２辺（短辺）には、それら２辺の延在方向の両端寄りの箇所に前記３個のボス部２４１０と同一の高さを有し先部にねじ孔２４１２が形成されたボス部２４１０がそれぞれ突設されている。
また、枠体２８の４辺のうち、互いに対向する一方の２辺（長辺）には、それら２辺の延在方向の両端寄りの箇所にガイドピン２４２０がそれぞれ突設され、互いに対向する他方の２辺（短辺）にもそれら２辺の延在方向の両端寄りの箇所にガイドピン２４２０がそれぞれ突設されている。
また、枠体２８の互いに対向する一方の２辺（長辺）には、それら２辺の延在方向に等間隔をおいて３個のねじ孔２４３０が形成され、互いに対向する他方の２辺（短辺）にも２つのボス部２４１０を挟むようにそれら２つの短辺の延在方向の両端近傍の箇所にねじ孔２４３０がそれぞれ突設されている。
【００１２】
図４（Ａ）は基板カバー２０Ａの斜視図、（Ｂ）は（Ａ）のＢ矢視図である。
図５（Ａ）は基板カバー２０Ｂの斜視図、（Ｂ）は（Ａ）のＢ矢視図である。
図１、図３に示すように、基板カバー２０は補強プレート１８の４辺に対してそれぞれ設けられ、各基板カバー２０は補強プレート１８の４辺の全長にわたってそれぞれ延在し、基板カバー２０は、補強プレート１８の背面２４０４の４辺に重ね合わされた各リジット基板２６とフレキシブル基板２４をそれぞれ覆うものである。
基板カバー２０は、フロントカバー１２を支持するに足る剛性およびリジッド基板２６、フレキシブル基板２４を保護するに足る剛性を有する材料で形成され、このような材料として金属材料または剛性を有する合成樹脂が使用可能である。
図３に示すように、基板カバー２０は、補強プレート１８の２つの長辺に対応して設けられた２個の長辺側の基板カバー２０Ａと、補強プレート１８の２つの短辺に対応して設けられた２個の短辺側の基板カバー２０Ｂとで構成されている。
図４（Ａ）、（Ｂ）に示すように、長辺側の基板カバー２０Ａは、リジット基板２６の後方に位置する背面部２００２と、背面部２００２の端部から前方に屈曲しフレキシブル基板２４の側方に位置する側面部２００４とを有している。
基板カバー２０Ａの背面部２００２には、補強プレート１８の３つのボス部２４１０に対応した箇所にそれぞれねじ挿通孔２０１０が設けられ、ねじ挿通孔２０１０は、基板カバー２０Ａの延在方向と直交する方向に延在する長孔状に形成されている。
また、基板カバー２０Ａの背面部２００２には、補強プレート１８の２つのガイドピン２４２０に対応した箇所にそれぞれ長孔２０２０が設けられ、長孔２０２０は基板カバー２０Ａの延在方向と直交する方向に延在しその延在方向にガイドピン２４２０によって案内されるものである。
また、基板カバー２０Ａの背面部２００２には、補強プレート１８の３つのねじ孔２４３０に対応した箇所にそれぞれねじ挿通孔２０３０が設けられ、ねじ挿通孔２０３０は基板カバー２０Ａの延在方向と直交する方向に延在する長孔状に形成されている。
また、基板カバー２０Ａの背面部２００２で各長孔２０２０に隣接した箇所に、治具係合用の孔２０４０がそれぞれ設けられている。この治具係合用の孔２０４０は、組み立て時に基板カバー２０Ａを所定方向に移動させる治具の係合ピン（不図示）を係合するためのものである。
【００１３】
図５（Ａ）、（Ｂ）に示すように、短辺側の基板カバー２０Ｂは、長辺側の基板カバー２０Ａと同様に、リジット基板２６の後方に位置する背面部２００２と、背面部２００２の端部から前方に屈曲しフレキシブル基板２４の側方に位置する側面部２００４とを有している。
基板カバー２０Ｂの背面部２００２には、補強プレート１８の２つのボス部２４１０に対応した箇所にそれぞれねじ挿通孔２０１０が設けられ、ねじ挿通孔２０１０は、基板カバー２０Ｂの延在方向と直交する方向に延在する長孔状に形成されている。
また、基板カバー２０Ｂの背面部２００２には、補強プレート１８の２つのガイドピン２４２０に対応した箇所にそれぞれ長孔２０２０が設けられ、長孔２０２０は基板カバー２０Ｂの延在方向と直交する方向に延在しその延在方向にガイドピン２４２０によって案内されるものである。
また、基板カバー２０Ｂの背面部２００２には、補強プレート１８の２つのねじ孔２４３０に対応した箇所にそれぞれねじ挿通孔２０３０が設けられ、ねじ挿通孔２０３０は基板カバー２０Ｂの延在方向と直交する方向に延在する長孔状に形成されている。
また、基板カバー２０Ｂの背面部２００２で各長孔２０２０に隣接した箇所には、基板カバー２０Ａと同様の治具係合用の孔２０４０がそれぞれ設けられている。
【００１４】
図１に示すように、リアカバー２２は、ディスプレイデバイス１４の背面１４０４および補強プレート１８の背面１８０４を覆うとともに、補強プレート１８の外側方を覆うものであり、本実施の形態では、ディスプレイデバイス１４と補強プレート１８とは同形同大の輪郭で形成されているので、リアカバー２２は、補強プレート１８の背面１８０４を覆うものである。
リアカバー２２は、ディスプレイデバイス１４の背面１４０４および補強プレート１８０４の後方に位置する背面部２２０２と、背面部２２０２の４辺から前方に屈曲され補強プレート１８および基板カバー２０の側方に位置する側面部２２０４とを有している（図９参照）。
背面部２２０２は補強プレート１８よりも大きな面積の矩形に形成され、背面部２２０２の４辺は補強プレート１８の４辺よりも外側に位置し、それら４辺は互いに平行している。
【００１５】
次に、表示装置１０の組み立てについて説明する。
図６は基板カバー２０が補強プレート１８に取り付けられた状態を示す説明図、図７は基板カバー２０を補強プレート１８に仮止めした状態を示す説明図、図８は基板カバー２０をフロントカバー１２に当接させた状態を示す説明図、図９はリアカバー２２を補強プレート１８に取り付けた状態を示す説明図である。
図７に示すように、フロントカバー１２がディスプレイデバイス１４に取着され、かつ、ディスプレイデバイス１４に熱伝導シート１６を介在させた状態で補強プレート１８が取着され、リジッド基板２６が、矩形枠状の領域３２に重ね合わされて取着されている。
この状態で、各基板カバー２０で各リジッド基板２６を覆い、各基板カバー２０を補強プレート１８に仮止めする。
すなわち、各基板カバー２０の背面部２００２をリジッド基板２６に臨ませ、かつ、側面部２００４をフレキシブル基板２４の側方に臨ませるとともに、フロントカバー１２の側面部１２０４の内面に臨ませ、その状態で、背面部２００２を枠体２８とボス部２４１０に載せ、ガイドピン２４２０を長孔２０２０に挿通する。
これにより、図６、図７に示すように、長孔２０２０がガイドピン２４２０に案内され、各基板カバー２０は、補強プレート１８の４辺の延在方向と直交する方向で補強プレート１８から離れる方向に移動可能な状態となる。すなわち、各基板カバー２０はそれぞれ補強プレート１８の面内で各辺から離れる方向に移動可能に配置される。
また、図７に示すように、基板カバー２０の背面部２００２が、補強プレート１８のボス部２４１０と枠体２８に載せられることで、背面部２００２と補強プレート１８の背面２４０４との間にはリジッド基板２６やフレキシブル基板２４を収容するに足る寸法の収容空間Ｓが形成され、各基板カバー２０の背面部２００２はそれぞれリジット基板２６との間に間隔をおいて配置され、各基板カバー２０の側面部２００４はそれぞれフレキシブル基板２４との間に間隔をおいて配置されることになり、リジッド基板２６に搭載された各種電子部品やフレキシブル基板２４に対して無理な力が作用しないようになっている。
【００１６】
次に、不図示の治具の係合ピンを各基板カバー２０の孔２０４０に係合させ、補強プレート１８の４辺の延在方向と直交する方向で補強プレート１８から離れる方向に各基板カバー２０を移動させ、図８に示すように、各基板カバー２０の側面部２００４の前部の外面をフロントカバー１２の側面部１２０４の内面に当接させる。
この状態で、図６に示すように、ねじ２を各基板カバー２０のねじ挿通用の長孔２０１０、２０３０を介してねじ孔２４１２、２４３０に螺合することで基板カバー２０を補強プレート１８に締結する。
次いで、側面部２００４の前部の外面と側面部１２０４の内面が当接され加圧された状態で、例えば、加熱して溶着することによって側面部２００４の前部の外面と側面部１２０４の内面とを接合し、これにより、フロントカバー１２が基板カバー２０を介して補強プレート１８に取着される。
次いで、図９に示すように、リアカバー２２を、その側面部２２０４の前端をフロントカバー１２の側面部１２０４の後端に臨ませ、その背面部２２０４の複数箇所を、筒状のスペーサ６に挿通したねじ４を介して補強プレート１８に取着する。
以上で表示装置１０の組み立てが完成する。
【００１７】
本実施の形態によれば、リジッド基板２６を保護する基板カバー２０を利用し、基板カバー２０の側面部２００４の外面とフロントカバー１２の側面部１２０４の内面との間に隙間が生じることなくそれらを接合するようにしたので、フロントカバー１２の側面部１２０４が変形することを防止してきれいに接合することができる。
そして、フロントカバー１２の側面部１２０４の後端とリアカバー２２の側面部２２０４の前端を臨ませるようにしたので、従来と異なって、フロントカバー１２およびリアカバー２２双方の寸法精度を高くする必要がないため、フロントカバー１２およびリアカバー２２の歩留まりを向上させることができ、製造コストの低減を図りつつ、表示装置１０の外観性を高める上で有利となる。
また、基板カバー２０の側面部２００４の前部の外面とフロントカバー１２の側面部１２０４の内面との接合時には、上述のように基板カバー２０を移動させることにより、基板カバー２０の側面部２００４の外面とフロントカバー１２の側面部１２０４の内面とを簡単にかつ確実に加圧することができるので、接合をよりきれいに行なうことができ、表示装置１０の外観性を高める上でより有利となる。
また、従来と異なって、フロントカバー１２とリアカバー２２とが接合されていないため、リアカバー２２を補強プレート１８から簡単に取り外すことができ、ディスプレイデバイス１４の調整作業や保守作業の効率化を図る上で有利となる。
【００１８】
なお、本実施の形態では、基板カバー２０の側面部２００４の外面とフロントカバー１２の側面部１２０４の内面とを加熱し溶着することによって接合する場合について説明したが、フロントカバー１２と基板カバー２０との接合は、接着剤や両面粘着テープによる接着など従来公知の様々な接合方法が採用可能である。
また、本実施の形態では、リアカバー２２に側面部２２０４を設け、この側面部２２０４の前端をフロントカバー１２の側面部１２０４の後端に臨ませるようにしたが、例えば、リアカバー２２の側面部２２０４をフロントカバー１２の側面部１２０４の外方でフロントカバー１２の前面部１２０２の外周まで延在させたり、あるいは、フロントカバー１２の側面部１２０４をリアカバー２２の背面部２２０２の外周まで延在させ、リアカバー２２を背面部２２０２のみの構造とするなど、このようなフロントカバー１２およびリアカバー２２の側面部の構造は種々考えられ任意である。
また、本実施の形態では、フロントカバー１２がＡＲコーティングを施されたものである場合について説明したが、フロントカバー１２は透明なものであればよく、従来公知の様々なフィルムを採用可能である。
また、本実施の形態では、ディスプレイデバイス１４が有機ＥＬディスプレイデバイスである場合について説明したが、ディスプレイデバイス１４としてプラズマディスプレイや液晶ディスプレイなどの従来公知の様々な薄板状のディスプレイデバイスを用いることができることは無論である。
【図面の簡単な説明】
【００１９】
【図１】第１の実施の形態の表示装置１０の分解斜視図である。
【図２】補強プレート１８の斜視図である。
【図３】ディスプレイデバイス１４、補強プレート１８、フレキシブル基板２４、リジッド基板２６、基板カバー２０の取り付けを示す斜視図である。
【図４】（Ａ）は基板カバー２０Ａの斜視図、（Ｂ）は（Ａ）のＢ矢視図である。
【図５】（Ａ）は基板カバー２０Ｂの斜視図、（Ｂ）は（Ａ）のＢ矢視図である。
【図６】基板カバー２０が補強プレート１８に取り付けられた状態を示す説明図である。
【図７】基板カバー２０を補強プレート１８に仮止めした状態を示す説明図である。
【図８】基板カバー２０をフロントカバー１２に当接させた状態を示す説明図である。
【図９】リアカバー２２を補強プレート１８に取り付けた状態を示す説明図である。
【符号の説明】
【００２０】
１０……表示装置、１２……フロントカバー、１２０２……前面部、１２０４……側面部、１４……ディスプレイデバイス、１４０２……表示面、１４０４……背面、１８……補強プレート、２０、２０Ａ、２０Ｂ……基板カバー、２００２……背面部、２００４……側面部、２２……リアカバー、２２０２……背面部、２２０４……側面部、２４……フレキシブル基板、２６……リジッド基板。
【図１】
2007240777.tif 000003
【図２】
2007240777.tif 000004
【図３】
2007240777.tif 000005
【図４】
2007240777.tif 000006
【図５】
2007240777.tif 000007
【図６】
2007240777.tif 000008
【図７】
2007240777.tif 000009
【図８】
2007240777.tif 000010
【図９】
2007240777.tif 000011